(57)【要約】【課題】助手または看護婦が、手術中に発生する煙や血液を吸上げる吸上げチューブを持つ必要がなく、電気手術ユニット用電極ペンに吸上げチューブを整合した同期吸上げ可能な電気手術ユニット用電極ペンを提供する。【解決手段】貫通する第１収容空間と、貫通する第２収容空間とが設けられたボディーを有し、第１収容空間には電極ペンが収容され、第２収容空間は流体を吸上げるための通路とされ、電極ペンの前端には電極ペンヘッドが脱着可能に設けられ、電極ペンの尾端にはホストと電気的に連接する電線が設けられ、第２収容空間の前端には開口を有するチューブが一体成形され、開口は電極ペンヘッドの一端部に近接し、第２収容空間の尾端が継手に形成され、継手には負気圧の吸上げ装置と連接するホースが連接される。【選択図】図２
0003155387.tif 000002
【実用新案登録請求の範囲】
【請求項１】
貫通する第１収容空間と、貫通する第２収容空間と、が設けられたボディーを有し、前記第１収容空間には、電極ペンが収容され、前記第２収容空間は、流体を吸上げるための通路とされ、前記電極ペンの前端には、電極ペンヘッドが脱着可能に設けられ、前記電極ペンの尾端には、ホストと電気的に連接する電線が設けられ、前記第２収容空間の前端には、開口を有するチューブが一体成形され、前記開口は前記電極ペンヘッドの一端部に近接し、前記第２収容空間の尾端が継手に形成され、前記継手には、負気圧の吸上げ装置と連接するホースが連接され、これにより、前記電極ペンヘッドの前記端部が作業しているときには、前記開口により、手術時に発生する煙や血液を同期に吸上げることができることを特徴とする、同期吸上げ可能な電気手術ユニット用電極ペン。
【請求項２】
前記ボディーは、前記第１収容空間内の電極ペンに前記電極ペンヘッドを挿し込んで構成され、前記第２収容空間の前端には、前記チューブが一体成形され、前記ボディーの前記第１収容空間の尾端は、封止され、その側辺に貫通孔が設けられ、前記電極ペンの前記電線が前記貫通孔を挿通して外部に伸び、前記第２収容空間の尾端に設けられた継手には、ホースが設けられ、前記チューブに設けられた前記開口は、前記チューブの軸方向と傾斜する方向に切断された状態を呈することを特徴とする、請求項１に記載の同期吸上げ可能な電気手術ユニット用電極ペン。
【請求項３】
前記ボディーは、前記第１収容空間の前端と連接チューブとが一体成形して構成され、前記第１収容空間の内部には、電極ペンが設けられ、前記電極ペンヘッドは、前記連接チューブを挿通して前記電極ペンに組み付けられ、前記第２収容空間の前端には、前記チューブが一体成形され、前記ボディーの前記第１収容空間の尾端には、開口が設けられ、前記電極ペンの前記電線が前記開口を挿通して外部に伸び、前記第２収容空間の尾端に設けられた継手には、ホースが設けられ、前記チューブに設けられた前記開口は、前記チューブの軸方向と垂直する方向に切断された状態を呈することを特徴とする、請求項１に記載の同期吸上げ可能な電気手術ユニット用電極ペン。
【考案の詳細な説明】
【技術分野】
【０００１】
本考案は、同期吸上げ可能な電気手術ユニット用電極ペンに係り、特に、手術しているときに、手術中に発生する煙や血液を同期に吸上げることができる電気手術ユニット用電極ペンに関するものである。
【背景技術】
【０００２】
手術をしているときに手術用刃具で血管を切る場合には、大量に出血する現象があり、大量に出血すると、手術を継続することが困難になることから、電気手術ユニット用電極ペンにより、人体の器官を切り、又は出血を止めることが多くなる。電気手術ユニット用電極ペンは、高周波数の電流により、人体の器官を切り、又は出血を止めることができる。しかし、電気手術ユニット用電極ペンを手術に使用しているときに煙が発生し、そうすると、医者は手術の箇所をはっきり見ることができなくなり、そして大量の煙を吸込むと、健康に悪影響を与える可能性がある。よって、電気手術ユニット用電極ペンを手術に使用しているときに、吸上げチューブを使用することが必要である。すなわち、医者が電気手術ユニット用電極ペンで手術をしているときには、助手または看護婦が吸上げチューブを持って煙や血液を吸上げる必要がある。
【０００３】
しかしながら、手術をする医者と、吸上げチューブを持つ助手または看護婦とは、手術の作業の協調に時間が必要であり、そして吸上げチューブを持つために、助手または看護婦を別に雇用することが必要であるので、手術のコストが増加する。
【０００４】
従来の金属製の硬質の吸上げチューブには、負気圧の吸上げ装置と連接するホースが連接され、前記吸上げ装置には、大きいモータが設けられる。これらは手術室に設置される。
【考案の概要】
【考案が解決しようとする課題】
【０００５】
本考案の主な目的は、助手または看護婦が、手術中に発生する煙や血液を吸上げる吸上げチューブを持つ必要がなく、電気手術ユニット用電極ペンに吸上げチューブを整合した同期吸上げ可能な電気手術ユニット用電極ペンを提供することにある。
【課題を解決するための手段】
【０００６】
本考案の請求項１に記載の同期吸上げ可能な電気手術ユニット用電極ペンによると、貫通する第１収容空間と、貫通する第２収容空間と、が設けられたボディーを有し、第１収容空間には、電極ペンが収容され、第２収容空間は、流体を吸上げるための通路とされ、電極ペンの前端には、電極ペンヘッドが脱着可能に設けられ、電極ペンの尾端には、ホストと電気的に連接する電線が設けられ、第２収容空間の前端には、開口を有するチューブが一体成形され、開口は電極ペンヘッドの一端部に近接し、第２収容空間の尾端が継手に形成され、継手には、負気圧の吸上げ装置と連接するホースが連接され、これにより、電極ペンヘッドの端部が作業しているときには、開口により、手術時に発生する煙や血液を同期に吸上げることができることを特徴とする同期吸上げ可能な電気手術ユニット用電極ペンである。
【０００７】
本考案の請求項２に記載の同期吸上げ可能な電気手術ユニット用電極ペンによると、ボディーは、第１収容空間内の電極ペンに電極ペンヘッドを挿し込んで構成され、第２収容空間の前端には、チューブが一体成形され、ボディーの第１収容空間の尾端は、封止され、その側辺に貫通孔が設けられ、電極ペンの電線が貫通孔を挿通して外部に伸び、第２収容空間の尾端に設けられた継手には、ホースが設けられ、チューブに設けられた開口は、チューブの軸方向と傾斜する方向に切断された状態を呈する。
【０００８】
本考案の請求項３に記載の同期吸上げ可能な電気手術ユニット用電極ペンによると、ボディーは、第１収容空間の前端と連接チューブとが一体成形して構成され、第１収容空間の内部には、電極ペンが設けられ、電極ペンヘッドは、連接チューブを挿通して電極ペンに組み付けられ、第２収容空間の前端には、チューブが一体成形され、ボディーの第１収容空間の尾端には、開口が設けられ、電極ペンの電線が開口を挿通して外部に伸び、第２収容空間の尾端に設けられた継手には、ホースが設けられ、チューブに設けられた開口は、チューブの軸方向と垂直する方向に切断された状態を呈する。
【考案の効果】
【０００９】
本考案の同期吸上げ可能な電気手術ユニット用電極ペンによれば、次のような効果がある。
（１）本考案の電極ペンには、吸上げチューブが結合されるので、吸上げチューブを別に持たず、手術中に発生する煙を排出することができるので、手術をする人員の健康を確保することができる。
【００１０】
（２）本考案の電極ペンには、吸上げチューブが結合されるので、吸上げチューブを持つ人員を別に雇用することが必要なく、手術のコストを減少することができる。
【００１１】
（３）吸上げチューブが結合された本考案の電極ペンは、手術中に発生する煙を排出することができるので、手術をする医者は手術の対象箇所をはっきり見ることができる。
【図面の簡単な説明】
【００１２】
【図１】本考案の第１実施形態の斜視図である。
【図２】本考案の第１実施形態の断面図である。
【図３Ａ】本考案のボディーの一実施形態の斜視図である。
【図３Ｂ】本考案のボディーの他の実施形態の斜視図である。
【図４Ａ】本考案の電極ペンの尾部の一実施形態の斜視図である。
【図４Ｂ】本考案の電極ペンの尾部の他の実施形態の斜視図である。
【図５Ａ】本考案のチューブのヘッドの一実施形態の斜視図である。
【図５Ｂ】本考案のチューブのヘッドの他の実施形態の斜視図である。
【図６】本考案の硬質継手の数種の実施形態の斜視図である。
【考案を実施するための形態】
【００１３】
以下、本考案の実施の形態を図面に基づいて説明する。
まず、図１及び図２を参照する。本考案の一実施形態の同期吸上げ可能な電気手術ユニット用電極ペンは、貫通する第１収容空間１１と、貫通する第２収容空間１２と、が設けられたボディー１０を有し、前記第１収容空間１１には、電極ペン２０が収容され、前記第２収容空間１２は、流体を吸上げるための通路とされ、前記電極ペン２０の前端には、電極ペンヘッド３０が脱着可能に設けられ、前記電極ペン２０の尾端には、電線２１が設けられ、前記第２収容空間１２の前端には、開口１２１１を有するチューブ１２１が一体成形される。前記開口１２１１は、前記チューブ１２１の軸方向と傾斜する方向に切断された状態を呈してもいいし、前記チューブ１２１の軸方向と垂直する方向に切断された状態を呈してもよい。前記開口１２１１は前記電極ペンヘッド３０の一端部に近接し、前記第２収容空間１２の尾端が継手１２２に形成され、図４Ａに示すように、前記継手１２２には、ホース４０が連接され、これにより、前記電極ペンヘッド３０の前記端部が作業しているときには、前記開口１２１１により、手術時に発生する煙や血液を同期に吸上げることができ、手術をする人員の健康を確保することができ、そして吸上げチューブを持つ人員を別に雇用することが必要なく、手術のコストを減少することができる。
【００１４】
前記第１収容空間１１と前記第２収容空間１２とは、仕切られており、相互に連通せず、機能も相違する。
【００１５】
前記電極ペン２０のユーザは医者であり、前記電極ペン２０を使用する前に、患者の脚部に電極テープ（電気手術ユニットの回路板）を貼り付けて、前記電極テープと電気的に連接する電線のプラグをホストに挿し込む。そうすると、前記電極ペン２０は、患者の器官や組織を切ることができ、出血を止めることもできる。
【００１６】
図２、図３Ａ及び図３Ｂを参照する。ボディー１０は、前記第１収容空間１１内の電極ペン２０に前記電極ペンヘッド３０を挿し込んで構成されてもよい。なお、前記第２収容空間１２の前端には、チューブ１２１が一体成形される。
【００１７】
また、ボディー１０は、前記第１収容空間１１の前端と連接チューブ１１１とが一体成形して構成されてもよい。前記第１収容空間１１の内部には、電極ペン２０が設けられ、前記電極ペンヘッド３０は、前記連接チューブ１１１を挿通して前記電極ペン２０に組み付けられ、なお、前記第２収容空間１２の前端には、前記チューブ１２１が一体成形される。
【００１８】
次に、図２、図４Ａ及び図４Ｂを参照する。ボディー１０の第１収容空間１１は、尾端に開口が設けられず、その側辺に貫通孔１１２が設けられ、前記電極ペン２０の電線２１が前記貫通孔１１２を挿通して外部に伸びてもよい。前記第２収容空間１２の尾端に設けられた継手１２２には、ホース４０が設けられる。
【００１９】
ボディー１０の第１収容空間１１は、尾端に開口１２３が設けられ、前記電極ペン２０の電線２１が前記開口１２３を挿通して外部に伸びてもよい。前記第２収容空間１２の尾端に設けられた継手１２２には、ホース４０が設けられる。
【００２０】
図２、図５Ａ及び図５Ｂを参照する。ボディー１０の第２収容空間１２の尾端が硬質継手５０である場合には、前記硬質継手５０にホース４０を直接に連接して使用することができる。なお、ボディー１０の第２収容空間１２の尾端が軟質継手５１である場合には、軟質継手５１に流体逆止用ヘッド６１を有するホース６０を連接して使用することができる。
図６に示すように、前記硬質継手５０の実施形態は色々ある。
【産業上の利用可能性】
【００２１】
本考案は、電気手術ユニットに適用することができる。
【符号の説明】
【００２２】
１０      ボディー
１１      第１収容空間
１２      第２収容空間
２０      電極ペン
２１      電線
３０      電極ペンヘッド
４０      ホース
５０      硬質継手
５１      軟質継手
６０      ホース
６１      流体逆止用ヘッド
１１１    連接チューブ
１１２    貫通孔
１２３    開口
１２１    チューブ
１２２    継手
１２１１  開口
【図１】
0003155387.tif 000003
【図２】
0003155387.tif 000004
【図３Ａ】
0003155387.tif 000005
【図３Ｂ】
0003155387.tif 000006
【図４Ａ】
0003155387.tif 000007
【図４Ｂ】
0003155387.tif 000008
【図５Ａ】
0003155387.tif 000009
【図５Ｂ】
0003155387.tif 000010
【図６】
0003155387.tif 000011